(57)【要約】【課題】  段ボール箱の上蓋等を閉塞する粘着テープの貼付作業において貼付したテープの剥がし取りと次回使用時のテープの引き出しを容易にすべく、テープ先端部に折り返しができるようにしたテープカッターを提供する。【解決手段】  巻回粘着テープ１０を回動支持する筒状芯部１Ａを備え、前方のテープ繰出し部１Ｂには繰出されるテープ両端を保持するテープガイド１Ｃ，１Ｄ及びこのテープガイドに配設したテープ押え部１Ｊ、更にテープ繰出し部１Ｂの上方に配置したピン支持部１Ｅ，１Ｆからなる本体１と、上記本体のピン支持部に回動支持されたテープ折返し上部ガイド壁２０Ａ，２０Ｂ間にはカッターＣが回動可能に軸支され、又、テープ折返し下部ガイド壁２０Ｃ，２０Ｄの内側にはカッターＣ回動角度を規制する上限ストッパー２０Ｅ，２０Ｆと下限ストッパー２０Ｇ，２０Ｈ及びテープガイド２０Ｌ，２０Ｍを備え、カッターを下限ストッパー側に付勢する引張バネＢを備えた折返しレバー体２０と、からなるものである。【選択図】図１
2005350257.tif 000002
【特許請求の範囲】
【請求項１】
後方に巻回粘着テープを回動自在に支持する筒状芯部を備え、前方のテープ繰出し部下方には繰出されるテープ両端が外れないように保持する二股状のテープガイド及びこのテープガイドの中間位置に先端を上向きに配設したテープ押え部を備えるとともに、テープ繰出し部の上方にピン支持部を備えた本体と、上記本体のピン支持部の外側に被うように設けた二股状のテープ折返しガイド壁が上下方向に回動自在となるように共通ピンにより軸支され、ピン支持部の下方のテープ折返し上部ガイド壁間に回動可能に軸支されたカッターを備え、下部ガイド壁にはカッターの回転角度を規制する上限ストッパーと下限ストッパー及びテープガイドを備え、且つ、カッターを下限ストッパー側に付勢する引張バネを備え、又、テープ折返し下部ガイド壁間の寸法はテープ幅より僅かに狭く作成された折返しレバー体を具備し、テープカット後に折返しレバー体のレバー部を上方に回動させて、上記テープ折返し上部ガイド壁間に軸支されているカッター先端内面部を本体のテープ押さえ部に接触させてテープ先端部を圧接しテープ先端部に非粘着部を形成するようにしたことを特徴とするテープカッター。
【請求項２】
テープ幅のばらつきに対処するために、カッター刃先端の両端部を少量突出させ中間部を凹状としたことを特徴とする請求項１記載のテープカッター。
【発明の詳細な説明】
【技術分野】
【０００１】
本発明は、例えば、段ボール箱の上蓋を荷造り用テープで貼付するテープカッターに係り、特に、テープの端部を切断後に折り返すことで、次回使用時のテープの引き出しと貼付したテープの剥がし取りを容易にしたものに関する。
【背景技術】
【０００２】
従来、粘着テープや荷造り用テープのテープカッターが提供されている。この荷造り用テープカッターは、一例として、図２３に示すように、本体１にはその後方に巻回粘着テープ１０を回動自在に支持する筒状芯部１Ａを備えている。また、本体１の前方のテープ繰出し部１Ｂには、繰出されるテープ両端を外れないように保持する二股状のテープガイド１Ｃ，１Ｄ及びこのテープガイドの上辺部にはカッターＣを備えている。
【０００３】
上記テープカッターによる貼付け作業は、はじめにカッターＣにより切断したテープ先端部を手で引き出す。続いて、テープ先端部をダンボール箱ＤＢの側面部Ｓ１に貼り付ける。そして、ダンボール箱ＤＢの上蓋Ｆ１，Ｆ２を貼って行き、上蓋Ｆ１，Ｆ２の反対端部を少し出た所まで引き出して貼り、そこでテープを切断して反対側の側面部Ｓ２に貼り付けるものである。
【発明の開示】
【発明が解決しようとする課題】
【０００４】
上記従来のテープカッターによると次のような問題があった。段ボール箱の上蓋を閉塞した粘着テープは、テープ先端部まで貼付られている。このために、粘着テープを剥がすときは、粘着テープの端からの剥がし取り操作が円滑にできず、段ボール箱の開口作業を能率の悪いものにしている問題があった。更には、次回使用時に、テープ先端部がテープ円筒部に密着して剥がし難い（特に、透明テープの場合）という問題があった。
【０００５】
本発明は上記テープ貼付装置に見られる問題点に基づいてなされたものでその目的とするところは、段ボール箱の上蓋等を閉塞する粘着テープの貼付作業と剥がし作業を容易にすべく、テープ先端部に折り返しができるようにしたテープカッターを提供することにある。
【課題を解決するための手段】
【０００６】
上記目的を達成するべく本発明の請求項１によるテープカッターは、後方に巻回粘着テープを回動自在に支持する筒状芯部を備え、前方のテープ繰出し部下方には繰出されるテープ両端が外れないように保持する二股状のテープガイド及びこのテープガイドの中間位置に先端を上向きに配設したテープ押え部を備えるとともに、テープ繰出し部の上方にピン支持部を備えた本体と、上記本体のピン支持部の外側に被うように設けた二股状のテープ折返しガイド壁が上下方向に回動自在となるように共通ピンにより軸支され、ピン支持部の下方のテープ折返し上部ガイド壁間に回動可能に軸支されたカッターを備え、下部ガイド壁にはカッターの回転角度を規制する上限ストッパーと下限ストッパー及びテープガイドを備え、且つカッターを下限ストッパー側に付勢する引張バネを備え、又テープ折返し下部ガイド壁間の寸法はテープ幅より僅かに狭く作成された折返しレバー体を具備し、テープカット後に折返しレバー体のレバー部を上方に回動させて、上記テープ折返し上部ガイド壁間に軸支されているカッター先端内面部を本体のテープ押さえ部に接触させてテープ先端部を圧接しテープ先端部に非粘着部を形成するようにしたことを特徴とするものである。
【０００７】
また、本発明の請求項２によるテープカッターは、請求項１記載のテープカッターにおいて、テープ幅のばらつきに対処するために、カッター刃先端の両端部を少量突出させ中間部を凹状としたことを特徴とするものである。
【０００８】
本発明のテープカッターの場合には、まず、本体と折返しレバー体のレバー部を右手で同時に持ち、左手で巻回粘着テープの先端部を持って下方へ引っ張り出す。続いて、左手で巻回粘着テープの先端部をテープ折返し下部ガイド壁間を通して引っ張り出したら、粘着テープをカッターに当てて上方に引っ張る。これで、カッターが上限位置まで回動したところで、テープが動かないように巻回粘着テープの円筒部を押さえ、カッターを下方へ下げて粘着テープを切断する。テープ切断後、カッターは、引張バネの復元力でカッター下限ストッパーに当接するまで戻る。この時、テープ先端部はカッターの先端刃に粘着テープの糊で付着し、テープガイドにテープテープ粘着面が軽く接し、カッター刃先端の内面部に湾曲状態に保持される。続いて、本体下方の筒状芯部を左手に持ち替え、右手で折り返しレバー体のレバー部を上方へ回動させ、カッター先端刃を本体のテープ押さえ部に接触させると、テープ先端部が圧接され、非粘着部が形成される。よって、次回に備えてのテープ端には、ここを折り返しての非粘着部が確実に形成される。
【０００９】
また、テープ幅のばらつきに対処するため、カッター刃先端の両端部を少量突出させ中間部を凹状とすることで、テープ切断時にテープ端やテープ全体がカッター先端から剥離することがなくなり、しっかりとカッター刃先端に付着される。
【発明の効果】
【００１０】
本発明のテープカッターによると、次回に備えてのテープ端を折り返して非粘着部を形成することが確実にできる。また、テープを剥がす時に指先で挟持して容易に剥離できる。よって、テープ端部の切断操作と折り返し操作が簡単な操作で簡潔・容易に実行できる。これにより、素速く的確にテープ貼着とテープ端の折り返し部が形成できる。
【００１１】
更に、カッター先端の両端部を少量突出させたから、テープ幅にばらつきがある場合でも、テープ切断時にテープ端やテープ全体がカッター先端から剥離せず、しっかりとカッター刃先端に付着させることができる。
【発明を実施するための最良の形態】
【００１２】
以下、図１乃至図２２を参照して本発明の第１の実施の形態を説明する。図１はテープカッターの展開斜視図、図２はテープカッターの左側面図、図３はテープカッターの平面図、図４は本体の正面図、図５は本体の左側面図、図６は本体の平面図、図７は本体のＡ矢視図、図８は本体のＢ矢視図、図９は本体のＣ−Ｃ線の断面図、図１０は、折り返しレバー体の正面図、図１１は折り返しレバー体の左側面図、図１２は折り返しレバー体の平面図、図１３はカッターの詳細図、図１４はテープカッターの組立正面図、図１５と図１６はテープカット方法の操作説明図、図１７から図１９はテープ圧接方法の操作説明図、図２０はテープ圧接後の操作説明図、図２１は段ボールへの貼付操作説明図、図２２は巻回粘着テープの斜視図である。
【００１３】
テープカッター１００は、図１に示すように、その要部が本体１と折返しレバー体２０とからなり、樹脂材等で各々が一体成形されている。上記本体１及び折返しレバー体２０の一体成形は、金型抜きの関係から片側面を形成後に接合する一般的な製造方法によっている。本体１は、図１と図４〜図９に示すように、この側壁面の後方に巻回粘着テープ１０を自在に回動できるように保持する筒状芯部１Ａが備えられている。筒状芯部１Ａの上部は手で握りやすくするためにカットされている。また、上記筒状芯部１Ａには、テープの脱落を規制するテープ幅規制部１Ｈが２ヶ所設けられ、上記テープ幅規制部１Ｈの両側には２ヶ所の溝１Ｇが設けられていて、テープ幅規制部１Ｈが筒状芯部１Ａ内で動き易くなっており、巻回粘着テープ１０のテープ装着時にはテープ芯部の内径中心側に収径し、テープの装着後は外径側に拡径してテープを移動しないように保持している。また、本体１の前方下方にはテープ繰出し部１Ｂを備え、このテープ繰出し部１Ｂには、繰出される粘着テープ１０Ａのテープ両端が外れないように保持する二股状のテープガイド１Ｃ，１Ｄ及びこのテープガイドの中間位置に先端を上向きに配設したテープ押え部１Ｊを備えるとともに、テープ繰出し部１Ｂの上方にピン支持部１Ｅ，１Ｆを配設し、共通ピンＰ１の貫通孔ｂ１，ｂ２が各々に設けられている。
【００１４】
続いて、図１〜図３と図５及び図１０〜図１３に示すように、折返しレバー体２０は、そのテープ折返しガイド壁が、上記本体１のピン支持部１Ｅ，１Ｆの外側に被せることができる寸法関係に設けられている。そして、テープ折返し上部ガイド壁２０Ａ，２０Ｂの両端に設けた貫通孔ａ１，ａ２及びピン支持部１Ｅ，１Ｆの貫通孔ｂ１，ｂ２に共通ピンＰ１を挿通させることにより上下方向に回動自在に支持されている。即ち、テープ折返しガイド壁がテープ繰出し部１Ｂに対して、接近・離反するように支持されている。
【００１５】
上記貫通孔ａ１，ａ２の下方位置となるテープ折返し上部ガイド壁２０Ａ，２０Ｂの両端に孔ｄ１，ｄ２が各々明けられており、テープ折返し上部ガイド壁２０Ａ，２０Ｂ間に挿通するピンＰ２によりカッターＣが回動可能に軸支されている。上記カッターＣの刃先端部は、各種の巻回粘着テープ１０によりテープ幅が少し異なることに対処するために、カッターの両端部Ｃ１，Ｃ１を少し長くして先端側に突出させ、中間部Ｃ２を少し短くした凹状に形成されている。このカッターＣは、その刃先端よりも後方に孔ｅ１，ｅ２が明けられ、これにピンＰ２を挿通する。また、後方に引張バネＢを掛け止める孔ｆ１，ｆ２が明けられている。そして、テープ折返し下部ガイド壁２０Ｃ，２０Ｄの両端内面に、カッターＣの回動角度を規制するカッターの上限ストッパー２０Ｅ，２０Ｆとカッターの下限ストッパー２０Ｇ，２０Ｈ及びテープガイド２０Ｌ，２０Ｍを備えている。また、テープ折返し下部ガイド壁２０Ｃ，２０Ｄ間の隙間寸法Ｗは、粘着テープ１０Ａのテープ幅よりも僅かに狭く設定されている。
【００１６】
更に、上記テープ折返し上部ガイド壁２０Ａ，２０Ｂの内面内側両端には、バネ受部２０Ｊ，２０Ｋが設けられており、ピンＰ２に軸支されているカッターＣの後部にあるバネ受け孔ｆ１，ｆ２と、上記バネ受部２０Ｊ，２０Ｋに各々引張バネＢを装着することにより、常時カッターは下限ストッパー２０Ｇ，２０Ｈ側に付勢されている。これで、テープ折返し部２０Ａ，２０Ｂをテープ押え部１Ｊへ接近時にカッターＣの刃先端の内面部Ｃ３をテープ押え部１Ｊの上側に繰出し、カッターの両端部Ｃ１につながる粘着テープ１０Ａのテープ先端１０Ｂを折返して圧接し、粘着面１０Ｃ同士を接着させる。
【００１７】
上記テープカッター１００の組み付けは、図１４に示すようになっている。本体１は、この前方のテープ繰出し部１Ｂに繰出されるテープ両端を保持するテープガイド１Ｃ，１Ｄ及びこのテープガイドに配設したテープ押え部１Ｊ、更にテープ繰出し部１Ｂの上方にピン支持部１Ｅ，１Ｆが配置される。上記ピン支持部１Ｅ，１Ｆに回動支持された折返しレバー体２０は、このテープ折返し上部ガイド壁２０Ａ，２０Ｂに、カッターＣ先端側の回動角度を規制する上限ストッパー２０Ｅ，２０Ｆと下限ストッパー２０Ｇ，２０Ｈ及びテープガイド２０Ｌ，２０Ｍを配置し、カッターＣを下限ストッパー側に付勢する引張バネＢが備えられている。上記折返しレバー体２０のレバー部２０Ｎを持ち上げると、カッターＣはこの内面部Ｃ３がテープ押え部１Ｊに当接する関係になっている。
【００１８】
以上の構成を基にテープの切断方法とテープ先端部の折返し方法及びその後の使用例を図１５〜図２２を参照して説明する。テープ切断方法は、図１５と図１６により行われる。まず、図１５において、本体１と折返しレバー体２０のレバー部２０Ｎを右手ＨＡで同時に持つ。ここで、左手ＨＢで巻回粘着テープ１０の先端部１０Ｂを持って下方へ引っ張り出す。続いて、図１６に示すように、左手Ｈ２で巻回粘着テープ１０の先端部１０Ｂをテープ折返し下部ガイド壁２０Ｃ，２０Ｄ間を通して引っ張り出したら、粘着テープ１０ＡをカッターＣに当てて上方に引っ張る。これで、カッターが上限位置まで回動したところでテープが動かないように巻回粘着テープ１０の円筒部を押さえ、カッターを下方へ下げて粘着テープを切断する。
【００１９】
テープ切断後のテープ先端の折返し方法は、図１７から図１９により行われる。まず、テープ切断後は、図１７に示すように、カッターＣは、引張バネＢの復元力でカッター下限ストッパー２０Ｇ，２０Ｈに当接するまで戻る。この時、テープ先端部１０Ｂはカッターの先端刃Ｃ１，Ｃ２に粘着テープの糊で付着し、テープガイド２０Ｌ，２０Ｍにテープテープ粘着面１０Ｃが軽く接し、カッター刃先端の内面部Ｃ３に湾曲状態に保持される。続いて、図１８と図１９に示すように、本体下方の筒状芯部１Ａを左手ＨＢに持ち替え、右手ＨＡで折り返しレバー体２０のレバー部２０Ｎを上方へ回動させ、カッター先端刃Ｃ１，Ｃ２を本体１のテープ押さえ部１Ｊに接触させると、テープ先端部１０Ｂが圧接され、非粘着部１０Ｄが形成される。
【００２０】
テープ先端部の非粘着部１０Ｄの成形後の使用例は、図２０に示すように、テープ先端部１０Ｂを圧接したら、折り返しレバー体２０のレバー部２０Ｎを元に戻すとテープの非粘着部部１０Ｄは下方に突出してくる。このテープの非粘着部１０Ｄは巻回粘着テープ１０に貼り付けておく。これにより、次回使用時にテープ先端部の非粘着部１０Ｄを左手ＨＢに持って引き出すことができる。
【００２１】
上記テープカッター１００を使用してダンボール箱ＤＢの上蓋Ｆ１，Ｆ２を閉塞する事例で説明する。図２１に示すように、ダンボール箱ＤＢの上蓋Ｆ１，Ｆ２にテープを貼る時は、テープの非粘着部１０Ｄを摘んで下方側へ引き出し、その先端をダンボール箱ＤＢの側面部Ｓ１に貼り付ける。そして、ダンボール箱ＤＢの上蓋Ｆ１，Ｆ２を貼って行き、上蓋Ｆ１，Ｆ２の反対端部を少し出た所まで引き出して貼り、そこでテープを切断して反対側の側面部Ｓ２に貼り付ける。他方、上記ダンボール箱ＤＢの上蓋Ｆ１，Ｆ２を開口させる場合は、テープの非粘着部１０Ｄを手で摘み、引き上げることでテープが上蓋Ｆ１，Ｆ２から簡単に剥がせる。また、ダンボール箱ＤＢの上蓋Ｆ１，Ｆ２への貼付作業終了後、図２２に示すように、テープの先端を折り返した非粘着部（剥がし代となる）１０Ｄを形成しておけば、次回使用時に引き出すテープ先端が巻回粘着テープ１０から容易に剥がして引き出すことができる。これにより、テープの貼付作業と、テープ端部の切断操作と折り返し操作が簡単な操作で簡潔・容易に実行できる。更に、素早く的確にテープ貼着とテープ端の折り返し部が形成できる。特に、透明テープの場合において、その作用・効果が顕著である。
【００２２】
更に、種類により微妙に異なるテープ幅のばらつきに対処するため、カッター先端の両端部Ｃ１，Ｃ１を少量突出させ中間部Ｃ２を凹状としたから、テープ切断時にテープ先端部やテープ全体がカッター先端部から剥離することがなくなり、常にしっかりとカッター先端部に付着される。
【００２３】
以上本実施の形態によると次のような効果を奏することができる。段ボール箱ＤＢの上蓋Ｆ１，Ｆ２に対する粘着テープ１０Ａの貼付と、その粘着テープ１０Ａの先端に折り返しの非粘着部１０Ｄの形成が簡潔・容易に実行できる。即ち、テープ端部の切断操作と折り返し操作が簡単な操作で容易にできる。そして、段ボール箱ＤＢの上蓋Ｆ１，Ｆ２を再び開口させるに先立ち、粘着テープ１０Ａの先端に形成した非粘着部１０Ｄを指で摘んでの剥がし操作が簡潔・容易に実行できる。また、次回に備えてのテープ先端部を折り返して非粘着部を形成することが確実にできるから、粘着テープ１０Ａを剥がす時に指先で挟持して簡潔・容易に剥離作業が行える。
【００２４】
尚、本発明は上記第１の実施の形態に限定されるものではなく、発明の要旨内で適宜設計変更することができることは勿論である。例えば、カッターＣの形状は、上記実施の形態に限定されず、直線状のものでも良い。
【産業上の利用可能性】
【００２５】
本発明は、段ボール箱の上蓋を荷造り用テープで貼付するテープホルダーについて説明したが、それに限定されるものではなく、通常の事務用の粘着テープにも適用可能である。
【図面の簡単な説明】
【００２６】
【図１】本発明の第１の実施の形態を示し、テープカッターの展開斜視図である。
【図２】本発明の第１の実施の形態を示し、テープカッターの左側面図である。
【図３】本発明の第１の実施の形態を示し、テープカッターの平面図である。
【図４】本発明の第１の実施の形態を示し、本体の正面図であり、
【図５】本発明の第１の実施の形態を示し、本体の左側面図である。
【図６】本発明の第１の実施の形態を示し、本体の平面図である。
【図７】本発明の第１の実施の形態を示し、本体のＡ矢視図である。
【図８】本発明の第１の実施の形態を示し、本体のＢ矢視図である。
【図９】本発明の第１の実施の形態を示し、本体のＣ−Ｃ線の断面図である。
【図１０】本発明の第１の実施の形態を示し、折り返しレバー体の正面図である。
【図１１】本発明の第１の実施の形態を示し、折り返しレバー体の左側面図である。
【図１２】本発明の第１の実施の形態を示し、折り返しレバー体の平面図である。
【図１３】本発明の第１の実施の形態を示し、カッターの詳細図である。
【図１４】本発明の第１の実施の形態を示し、テープカッターの組立正面図である。
【図１５】本発明の第１の実施の形態を示し、テープカット方法の操作説明図である。
【図１６】本発明の第１の実施の形態を示し、テープカット方法の操作説明図である。
【図１７】本発明の第１の実施の形態を示し、テープ圧接方法の操作説明図である。
【図１８】本発明の第１の実施の形態を示し、テープ圧接方法の操作説明図である。
【図１９】本発明の第１の実施の形態を示し、テープ圧接方法の操作説明図である。
【図２０】本発明の第１の実施の形態を示し、テープ圧接後の操作説明図である。
【図２１】本発明の第１の実施の形態を示し、段ボールへの貼付操作説明図である。
【図２２】本発明の第１の実施の形態を示し、粘着テープ先端の斜視図である。
【図２３】従来のテープ貼付装置の段ボールでの操作状態の斜視図である。
【符号の説明】
【００２７】
１                本体
１Ａ              筒状芯部
１Ｂ              テープ繰出し部
１Ｃ，１Ｄ        テープガイド
１Ｅ，１Ｆ        ピン支持部
１Ｇ              溝部
１Ｈ              テープ幅規制部
１Ｊ              テープ押え部
１０              巻回粘着テープ
１０Ａ            粘着テープ
１０Ｂ            テープ先端部
１０Ｃ            粘着面
１０Ｄ            非粘着部
２０              折返しレバー体
２０Ａ，２０Ｂ    テープ折返し上部ガイド壁
２０Ｃ，２０Ｄ    テープ折返し下部ガイド壁
２０Ｅ，２０Ｆ    カッターの上限ストッパー
２０Ｇ，２０Ｈ    カッターの下限ストッパー
２０Ｊ，２０Ｋ    バネ受け部
２０Ｌ，２０Ｍ    テープガイド
２０Ｎ            折り返しレバー体のレバー部
Ｂ                引張バネ
Ｃ                カッター
Ｃ１              カッター刃両端部
Ｃ２              カッター刃中間部
Ｃ３              カッター刃内面部
ＤＢ              段ボール箱
Ｐ１              共通ピン
Ｐ２              軸支ピン
ａ１，ａ２        貫通孔
ｂ１，ｂ２        貫通孔
ｄ１，ｄ２        孔
ｅ１，ｅ２        孔
ｆ１，ｆ２        孔
Ｆ１，Ｆ２        上蓋
Ｗ                折り返し下部ガイド壁間寸法
１００            テープカッター
ＨＡ              右手
ＨＢ              左手
【図１】
2005350257.tif 000003
【図２】
2005350257.tif 000004
【図３】
2005350257.tif 000005
【図４】
2005350257.tif 000006
【図５】
2005350257.tif 000007
【図６】
2005350257.tif 000008
【図７】
2005350257.tif 000009
【図８】
2005350257.tif 000010
【図９】
2005350257.tif 000011
【図１０】
2005350257.tif 000012
【図１１】
2005350257.tif 000013
【図１２】
2005350257.tif 000014
【図１３】
2005350257.tif 000015
【図１４】
2005350257.tif 000016
【図１５】
2005350257.tif 000017
【図１６】
2005350257.tif 000018
【図１７】
2005350257.tif 000019
【図１８】
2005350257.tif 000020
【図１９】
2005350257.tif 000021
【図２０】
2005350257.tif 000022
【図２１】
2005350257.tif 000023
【図２２】
2005350257.tif 000024
【図２３】
2005350257.tif 000025
【手続補正書】
【提出日】平成16年7月9日(2004.7.9)
【手続補正１】
【補正対象書類名】図面
【補正対象項目名】全図
【補正方法】変更
【補正の内容】
【図１】
2005350257.tif 000026
【図２】
2005350257.tif 000027
【図３】
2005350257.tif 000028
【図４】
2005350257.tif 000029
【図５】
2005350257.tif 000030
【図６】
2005350257.tif 000031
【図７】
2005350257.tif 000032
【図８】
2005350257.tif 000033
【図９】
2005350257.tif 000034
【図１０】
2005350257.tif 000035
【図１１】
2005350257.tif 000036
【図１２】
2005350257.tif 000037
【図１３】
2005350257.tif 000038
【図１４】
2005350257.tif 000039
【図１５】
2005350257.tif 000040
【図１６】
2005350257.tif 000041
【図１７】
2005350257.tif 000042
【図１８】
2005350257.tif 000043
【図１９】
2005350257.tif 000044
【図２０】
2005350257.tif 000045
【図２１】
2005350257.tif 000046
【図２２】
2005350257.tif 000047
【図２３】
2005350257.tif 000048